(57)【要約】【課題】ウォーターボトルについている蓋を除去し、除去された蓋の代わりにボトルに取り付けて、ティーバッグの内容物がボトル内に染み出るようにすることによって、緑茶やコーヒー等の様な飲料を手軽に作って飲むことができる、蓋が一体になったウォーターボトル用のティーバッグ収納具の提供。【解決手段】内部は中空であり、両端は閉鎖された円筒状から形成されるが、一端にはボトルの入り口に結合可能に内周面にねじ山が設けられた蓋部材が備えられ、外周面には長手方向に多数の貫通部を有する本体と、前記本体の内部に位置し、ボトルに充填されている水により内容物が染み出る茶葉部材と、前記ボトルに充填されている水が前記貫通部を通じて前記本体内外へ流動するが、前記茶葉部材が前記貫通部から前記ボトル内に抜け出ることがないように前記貫通部側に取り付けられたフィルター部材とを含むことを特徴とする。【選択図】図１
2015120554.tif 000002
【特許請求の範囲】
【請求項１】
内部は中空であり、両端は閉鎖された円筒状から形成されるが、一端にはウォーターボトルの入り口に結合可能に内周面にねじ山が設けられた蓋部材が備えられ、外周面には長手方向に多数の貫通部を有する本体と、
前記本体の内部に位置し、ウォーターボトルに充填されている水により内容物が染み出る茶葉部材と、
前記ウォーターボトルに充填されている水が前記貫通部を通じて前記本体内外へ流動するが、前記茶葉部材が前記貫通部から前記ウォーターボトル内に抜け出ることがないように前記貫通部側に取り付けられたフィルター部材とを、含むことを特徴とする、蓋が一体になったウォーターボトル用のティーバッグ収納具。
【請求項２】
前記本体の上側外周面と前記蓋部材の内周面との間には、前記ウォーターボトルの入り口が密着して挿入できるように、離隔空間部が形成されていることを特徴とする、請求項１に記載の蓋が一体になったウォーターボトル用のティーバッグ収納具。
【請求項３】
前記本体の一側には、前記ウォーターボトルに充填されている水が、前記茶葉部材の内容物が染み出ることにより変化する水の色との比較が可能となるように表示部材が付着されていることを特徴とする、請求項１に記載の蓋が一体になったウォーターボトル用のティーバッグ収納具。
【請求項４】
前記本体の他端は、前記本体に螺合可能な栓により開閉可能に閉鎖されるか、または前記本体に超音波接着される合成樹脂フィルムにより閉鎖されることを特徴とする、請求項１に記載の蓋が一体になったウォーターボトル用のティーバッグ収納具。
【請求項５】
前記蓋部材は、前記本体側に圧入結合されることを特徴とする、請求項１に記載の蓋が一体になったウォーターボトル用のティーバッグ収納具。
【発明の詳細な説明】
【技術分野】
【０００１】
本発明は、蓋が一体になったウォーターボトル用のティーバッグ収納具に係り、さらに詳しくは、ウォーターボトルについている蓋を取り除いた後、該蓋の代わりにボトルに取り付けて、その内容物がボトル内に染み出るようにすることによって、緑茶やコーヒー等のような飲料を手軽に作って楽しむことができる。また、使い捨てとしても使用できるが、ティーバッグのみを取り替えることができるため、何度も再使用が可能で経済的である。本発明による収納具の一側に、ティーバッグの内容物が染み出た水の色と比較することができるように、薄味に該当する色、普通味に該当する色、濃い味に該当する色を示している表示部材を付着していて、この表示部材とティーバッグの内容物が染み出た水の色とを対比して、使用者が飲料の味を選択することができるようにした、蓋が一体になったウォーターボトル用のティーバッグ収納具に関する。
【背景技術】
【０００２】
例えば、山登りの際、ミネラルウォーターの入ったウォーターボトルを携帯し、のどが渇く度に水を飲んだり、または、ジュース、お茶、コーヒー等の入った飲料ボトルまたは飲料缶を別途携帯して飲んだりする。この場合、いずれの一方のボトルのみを携帯すると、好みに応じて飲み物を楽しむことができなく、二つ以上を用意するには費用が多くかかると共に、荷物が重くなるため、山登りが困難になるという問題点があった。このような問題は、日常生活で水や飲料を飲む場合にも同じである。
【０００３】
また、水より飲料の賞味期限が相対的に短いため、長期間保管する場合、変質の恐れがある。このため、流通及び保管コストが水に比べて多くかかるといった問題があった。
【先行技術文献】
【特許文献】
【０００４】
特許文献１：韓国登録実用新案第２０−０２５９２５２号公報
【発明の概要】
【発明が解決しようとする課題】
【０００５】
本発明は、ウォーターボトル（以下、ボトルと称する）についている蓋を除去し、該除去された蓋の代わりにボトルに取り付けて、ティーバッグの内容物がボトル内に染み出るようにすることによって、緑茶やコーヒーなどのような飲料を手軽に作って楽しめることができると共に、使い捨てとしても使用できるが、ティーバッグのみを取り替えて何度も使用することができるため、経済的であり、また、収納具の一側に、ティーバッグの内容物が染み出た水の色を比較することができるように、薄味に該当する色、普通味に該当する色、濃い味に該当する色をそれぞれ表示した表示部材を付着していて、この表示部材とティーバッグの内容物から染み出た水の色とを対比し、使用者が飲料の味を選択することができる、蓋が一体になったウォーターボトル用のティーバッグ収納具を提供することにその目的がある。
【課題を解決するための手段】
【０００６】
上述した本発明の目的は、内部は中空であり、両端は閉鎖された円筒状から形成されるが、一端にはボトルの入り口に結合可能に内周面にねじ山が設けられた蓋部材が備えられ、外周面には長手方向に多数の貫通部を有する本体と、前記本体の内部に位置し、ボトルに充填されている水により内容物が染み出る茶葉部材と、前記ボトルに充填されている水が前記貫通部を通じて前記本体内外へ流動するが、前記茶葉部材が前記貫通部から前記ボトル内に抜け出ることがないように前記貫通部側に取り付けられたフィルター部材とを含むことを特徴とする、蓋が一体になったウォーターボトル用のティーバッグ収納具が提供されることによって達成される。
【０００７】
本発明の好ましい特徴によれば、上述した本体の一側には、前記ボトルに充填されている水により前記茶葉部材の内容物が染み出ることにつれて変化する水の色と比較することができるように表示部材が付着されている。
【０００８】
本発明の好ましい特徴によれば、上述した本体の他端は、前記本体と螺合可能な栓により開閉可能に閉鎖されたり、前記本体に超音波接着される合成樹脂フィルムにより閉鎖される。
【０００９】
本発明の好ましい特徴によれば、上述した蓋部材は、本体側に圧入結合する。
【発明の効果】
【００１０】
上述した構成を有する本発明の好ましい実施形態による、 蓋が一体になったウォーターボトル用のティーバッグ収納具は、下記のメリットを有する。
【００１１】
ウォーターボトルについている蓋を除去し、除去された蓋の代わりにボトルに取り付けて、ティーバッグの内容物がボトル内に染み出るようにすることによって、緑茶やコーヒー等の様な飲料を手軽に作って飲むことができる。また、使い捨てとしても使用できるが、ティーバッグのみを取り替えて何度も使用することが可能なので、経済的である。また、収納具の一側に、ティーバッグの内容物から染み出た水の色を比較することができるように、薄味に該当する色、普通味に該当する色、濃い味に該当する色をそれぞれ表示した表示部材を付着し、この表示部材と前記染み出た水の色とを比較し、使用者が飲料の味を選択することができるようにした優れた効果を有する。
【図面の簡単な説明】
【００１２】
【図１】本発明の一実施形態による、蓋が一体になったウォーターボトル用のティーバッグ収納具の斜視図である。
【図２】本発明の一実施形態による、蓋が一体になったウォーターボトル用のティーバッグ収納具の分解斜視図である。
【図３】本発明の一実施形態による、蓋が一体になったウォーターボトル用のティーバッグ収納具の使用状態図である。
【発明を実施するための形態】
【００１３】
図１は、本発明の一実施形態による、蓋が一体になったウォーターボトル用のティーバッグ収納具の斜視図、図２は、本発明の一実施形態による、蓋と一体になったウォーターボトル用のティーバッグ収納具の分解斜視図、図３は、本発明の一実施形態による、蓋と一体になったウォーターボトル用のティーバッグ収納具の使用状態図である。
【００１４】
本発明の望ましい一実施形態による、蓋が一体になったウォーターボトル用のティーバッグ収納具は、内部が中空であり、両端は閉鎖された円筒状から形成されているが、一端にはボトルの入り口に結合可能に内周面にねじ山が設けられた蓋部材が備えられ、外周面には、長手方向に多数の貫通部を有する本体と、前記本体の内部に位置し、ボトルに充填されている水により染み出る茶葉部材と、前記ボトルに充填されている水が前記貫通部を通じて前記本体内外へ流動するが、前記茶葉部材が前記貫通部から前記ボトル内に抜け出ることがないように前記貫通部側に重ねて取り付けられたフィルター部材とを含む。
【００１５】
以下、添付図面１乃至３に基づき、本発明の好適な実施形態による、蓋が一体になったウォーターボトル用のティーバッグ収納具１の構成部材及び該接続関係について詳述する。
【００１６】
ここで、本体１０は、ウォーターボトル１００（以下、ボトル１００と称する）についている蓋の代わりに、ボトル１００の入り口側に結合し、ボトル１００の蓋の役割を奏すると共にその内部に茶葉部材を有する役割もする。このような本体１０は、その内部が中空であり、両端が閉鎖された円筒状から形成されるが、一端にはボトル１００の入り口に結合可能に内周面にねじ山１２ａが設けられた蓋部材１２が備えられ、外周面には長手方向に多数の貫通部１１が形成されている。
【００１７】
上述した蓋部材１２は、市販されるウォーターボトル１００の蓋と同じサイズ及び材質から形成され、ボトル１００の蓋の代わりにボトル１００を開閉することができ、本体１０の上側外周面と蓋部材１２の内周面との間にはボトル１００の入り口が密着して挿入できるように離隔空間部を有する。また、蓋部材１２の内周面にはボトル１００の入り口内周面と螺合することができるようにねじ山１２ａが設けられていて、使用者が必要に応じて容易に開閉することができる。ボトル１００の入り口内周面と本体１０の上側外周面とが密着しているため、一次的に漏水を防ぐことができ、さらにボトル１００の入り口の外周面と蓋部材１２の内周面との螺子結合により二重に漏水を防止することができので、別途のパッキング部材を備えなくても水密に保持することが可能である。このような蓋部材１２は、本体と互いに圧入して組み合わせられ、両者いずれもポリプロピレン材からなると共に、殺菌及び衛生の処理が施された状態で真空包装することが望ましい。
【００１８】
そして、上述した貫通部１１は、茶葉部材２０の内容物が染み出るようにボトル１００内の水を流動させる役割をするためのものであって、後述するフィルター部材３０が重なって設けられる。
【００１９】
また、上述した本体１０の一側、例えば、外周面には表示部材１３を付着しているが、この表示部材１３は、後述する茶葉部材２０の内容物から染み出た水の色と比較することによって、使用者が飲料の味を選ぶことができるようにするためのものである。つまり、表示部材１３は、三段階の色に分けられ、薄味に該当する色、普通味に該当する色、濃い味に該当する色をそれぞれ示している。これにより、使用者は、茶葉部材２０から染み出る過程で変化する水の色と表示部材１５とを対比して希望する味を選択することができ、水の色が希望の味色になったら蓋部材１２を通じてボトル１００から本体１０を取り出す。
【００２０】
また、上述した本体１０の他端は、図に示したように本体１０と螺合可能な栓１４により開閉可能に閉鎖されるか、または、図示されていないが、本体１０に超音波接着した合成樹脂フィルムにより閉鎖されることができる。前者は、取り替えて繰返し使用が可能なティーバッグタイプの茶葉部材２０用として用いられることが好ましく、後者は、リサイクルが不可能な粉末状の茶葉部材２０用として用いられることが好ましい。
【００２１】
一方、上述した本体１０の内部には茶葉部材２０が位置するが、この茶葉部材２０は、ボトル１００内の水により内容物が染み出る飲料以外も飲むことができるようにする役割を奏する。このような茶葉部材２０は、従来技術による多種多様な茶葉が用いられ、例えば緑茶、紅茶、レモン茶、菊花茶、トウモロコシひげ茶のような各種の茶類が挙げられる。ここで、本発明の望ましい一実施形態では、茶葉が使われているが、各種の茶葉が入ったティーバッグ、粉末茶やインスタントコーヒー、または水に溶かして飲む発泡錠タイプの風邪薬やビタミン剤が使われることもある。
【００２２】
一方、上述した茶葉部材２０を内部に収容した本体１０の貫通部１１側にはフィルター部材３０が重なって備えられており、このフィルター部材は、ボトル１００に充填されている水が本体１０内外に流動すると共に、茶葉部材２０が貫通部１１を通じて前記ボトル１００内に抜け出ることがないようにする濾過網の役割を果たす。このようなフィルター部材３０は、茶葉部材２０が利用される場合は網目が大きいものでもよいが、粉末状のものが使われる場合は粉末が流れ出さないように細密な網目のものが好ましい。
【００２３】
本発明は、特許請求の範囲の要旨から逸脱することなく、該当技術分野において通常の知識を有する者により様々に変形実施できるため、本発明の技術保護範囲は、上述した特定の望ましい実施例に限定されるわけではない。
【符号の説明】
【００２４】
１    蓋が一体になったウォーターボトル用のティーバッグ収納具
１０  本体
１１  貫通部
１２  蓋部材
１２ａ  ねじ山
１３  表示部材
１４  栓
２０  茶葉部材
３０  フィルター部材
１００  ウォーターボトル
【図１】
2015120554.tif 000003
【図２】
2015120554.tif 000004
【図３】
2015120554.tif 000005